(57)【要約】【課題】カードを傷付けるおそれのない誤挿入防止構造を備えたリバースタイプのカード用コネクタを提供すること。【解決手段】複数の端子１が並列して装着された絶縁ハウジング２と、絶縁ハウジング２を覆うように設けられたメタルシェル３とを備え、絶縁ハウジング２とメタルシェル３で形成したカード受入空洞４に、端子１のコンタクト片１２を臨ませて、カード受入空洞４に挿入されたカードの接点に係合するようにしたカード用コネクタである。メタルシェル３は、カード受入空洞４に接点を設けた面を上向きにして挿入されたカードの接点が並列して設けられた上面と対向する覆い板部３１を有し、この覆い板部３１を切り起こして断面Ｕ字状に成形された誤挿入防止用突部３５がカード受入空洞４内に突出させてあり、カード受入空洞４にカード５を挿入した時、カード５の上面内に形成した進入溝に進入するようにしてある。【選択図】　図１
2004127731.tif 000002
【特許請求の範囲】
【請求項１】
複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｕ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項２】
複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｌ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項３】
複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｊ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項４】
複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｖ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項５】
前記誤挿入防止用突部（３５）は、メタルシェル（３）の覆い板部（３１）に一つ形成されている請求項１−４のいずれかに記載のカード用コネクタ。
【請求項６】
前記メタルシェル（３）は、覆い板部（３１）の側縁に直角に連続して垂下する側板部（３２、３３）を有し、この側板部（３２、３３）の下縁に、少なくとも一つの取付片（３６）が側板部（３２、３３）と直角に連続させて設けられていると共に、この取付片（３６）に取り付け面（３６１）側に突出する突部（３６２）が形成されている請求項１−５のいずれかに記載のカード用コネクタ。
【発明の詳細な説明】
【０００１】
【発明の属する技術分野】
この発明は、携帯電話機、デジタルスチルカメラ等の電子機器に設置されるカード用コネクタに係り、更に詳しくは、カードの誤挿入を制限できるようにしたカード用コネクタに関する。
【０００２】
【従来の技術】
従来、携帯電話機ではＳＩＭ（Ｓｕｂｓｃｒｉｂｅｒ　Ｉｄｅｎｔｉｔｙ　Ｍｏｄｕｌｅ）カードを受け入れるようにしたカード用コネクタを設けたものが知られている。また、デジタルスチルカメラでは、ＳＤ（Ｓｑｕａｒｅ　Ｄｉｇｉｔａｌ）カード、ＭＭＣ（Ｍｕｌｔｉ　Ｍｅｄｉａ　Ｃａｒｄ）カード等を受け入れるようにしたカード用コネクタを設けたものが知られている。カードには、ＣＰＵやメモリＩＣが内蔵されており、電子機器の機能の一部を受け持てるようにしている。
【０００３】
このようなカード用コネクタは、通常、複数の端子が並列して装着された絶縁ハウジングと、絶縁ハウジングの少なくとも一部を覆うように設けられたメタルシェルとを備えている。絶縁ハウジングは、絶縁性のプラスチックを所定の形状に成形して構成される。端子は、りん青銅のような高いばね性を有する薄金属板を打ち抜いて成形される一方、メタルシェルは、ステンレススチールのような導電性の薄金属板を打ち抜いて所定の形状に成形して構成される。
【０００４】
カード用コネクタは、絶縁ハウジングとメタルシェルが共同してカード受入空洞を形成し、絶縁ハウジングに装着された複数の端子の各コンタクト片がこのカード受入空洞に臨むようにされる。カード受入空洞にカードを挿入するとカードの接点と端子のコンタクト片が１対１の関係で対向し、互いに係合して電気的に導通し、カードと電子機器内の回路の接続が図られるようにしている。
【０００５】
カード受入空洞にカードを挿入する形式には、接点を設けた面を下向き（絶縁ハウジング側）にして挿入する「ノーマルタイプ」と、接点を設けた面を上向き（メタルシェル側）にして挿入する「リバースタイプ」とがある。
ノーマルタイプのカード用コネクタでは、カードの誤挿入を防止するために、絶縁ハウジングの底板上に、カード受入空洞内に突出する突条を形成して、カードの表裏を逆にしたり、カードの前後を逆にした誤挿入が制限できるようにしたものが知られている。例えば、特開２００１−１６０４５８号公報にこの誤挿入を制限する機構が詳細に開示されている（特に、図７と明細書の段落番号［００３８］、［００３９］の記載を参照）。
リバースタイプのカード用コネクタでは、例えば、特開２００２−８３６５１号公報に開示された誤挿入を制限する機構が知られている。同公報の、特に、図１６、１８、２２に示され、明細書の段落番号［００３９］で説明されているように、絶縁ハウジングの上部に、誤挿入のカードの端面と当接するストッパ突条を設けた構造である。このような構造は、カード用コネクタの高さが増大する不利があるために、図１１に示したように、メタルシェルａのカードの上面と対向する板面ａａから垂直に突片ｂを切り起こしてカード受入空洞ｃ内に突出させる構造も提案されている。カードを誤挿入すると、カードの端面が突片ｂの破断面ｂｂ（図ではこの破断面にハッチングがしてある）に突き当たって、カードの挿入を制限できるようにしている。
【０００６】
【発明が解決しようとする課題】
しかしながら、上記リバースタイプで、メタルシェルに誤挿入を制限するための突片ｂを切り起こしによって設けたものは、メタルシェルを構成している薄金属板の板厚が比較的薄い（０．２ｍｍ程度）ので、カードをある程度強い力で誤挿入したり、また、それを繰り返した場合に、カードの外ケースはプラスチックの成形品であるために、突片ｂの破断面ｂｂでカードの端面が傷付けられ、ひどい場合には外ケースに亀裂が生じるという不具合に至ることもあった。
【０００７】
この発明は、このような問題点に鑑みてなされたもので、カードを傷付けるおそれのない誤挿入防止構造を備えたリバースタイプのカード用コネクタを提供することを目的としている。
【０００８】
【課題を解決するための手段】
上記の目的のもとになされたこの発明のカード用コネクタは、複数の端子が並列して装着された絶縁ハウジングと、絶縁ハウジングの少なくとも一部を覆うように設けられたメタルシェルとを備え、
絶縁ハウジングとメタルシェルが共同して形成したカード受入空洞に、前記端子のコンタクト片を臨ませて、カード受入空洞に挿入されたカードの接点に係合するようにしたカード用コネクタにおいて、
前記メタルシェルは、カード受入空洞に挿入されたカードの接点が並列して設けられた面と対向する覆い板部を有し、この覆い板部を切り起こして断面Ｕ字状に成形された誤挿入防止用突部がカード受入空洞内に突出させてあり、カード受入空洞にカードを挿入した時、カードの接点が並列して設けられた面内に形成した進入溝に進入するようにしてあることを特徴とするカード用コネクタである。
【０００９】
断面をＵ字状に成形された前記誤挿入防止用突部は、断面をＬ字状、またはＪ字状、更にはＶ字状としても良い。
【００１０】
【作用】
このように構成されるこの発明のカード用コネクタによれば、誤挿入されたカードの端面と当接する誤挿入防止用突部の切り起こしによる破断面の面積を、Ｕ字状、Ｌ字状、Ｊ字状またはＶ字状の形状によって増すことができ、荷重の集中を緩和することができる。このような荷重集中の緩和によって、カード側に与えるダメージを少なくすることができる。
【００１１】
【発明の実施の形態】
以下、この発明の実施形態について、添付の図を参照して説明する。
【００１２】
実施形態のカード用コネクタも、複数の端子１が並列して装着された絶縁ハウジング２と、絶縁ハウジング２を覆うように設けられたメタルシェル３とを備えている。絶縁ハウジング２は、図８に表れているように、端子装着部２１と側壁部２２を略直角に連続させて平面Ｌ字形に成形されている。複数の端子１は、図６、８に表れているように、装着部１１の一端からコンタクト片１２が片持ち梁状に連続して延びているとともに、装着部１１の他端からＬ字形の半田テイル１３が連続して延びた形状に成形されて、装着部１１を端子装着部２１に形成された端子装着孔２１１に挿通、係止させて、各コンタクト片１２が前記側壁部２２の延びる方向に臨み、半田テイル１３の半田付け部１３１が絶縁ハウジング２の底面と略面一となるようにしてある。
【００１３】
メタルシェル３は、前記絶縁ハウジング２の上部を覆うようにした略方形の覆い板部３１の一側に、絶縁ハウジング２の側壁部２２の外面に沿って垂下するようにした第１の側板部３２が連続していると共に、覆い板部３１の他側には、第１の側板部３２と対向して垂下する第２の側板部３３が連続して、扁平な逆Ｕ字形に成形されている。
【００１４】
第１の側板部３２には、図５に表れているように、係合窓３２１がいくつか形成されており、絶縁ハウジング２の側壁部２２の外面に突出させて設けた係合突部２２１が係合して、絶縁ハウジング２とメタルシェル３の一体化が図られるようにしてある。メタルシェル３の覆い板部３１の後縁にも小さい垂下片３４が設けられ、この垂下片３４に形成した係合窓３４１にも、絶縁ハウジング２の端子装着部２１の外面に設けた係合突部２１２が係合するようにしてある。
【００１５】
このような絶縁ハウジング２とメタルシェル３によって、絶縁ハウジング２の端子装着部２１の前方で、側壁部２２の側方に、カード受入空洞４が形成されている。カード受入空洞４は、上側がメタルシェル３の覆い板部３１で仕切られ、一側が絶縁ハウジング２の側壁部２２で仕切られ、そして、他側がメタルシェル３の第２の側板部３３で仕切られている。また、カード受入空洞４は、絶縁ハウジング２の側壁部２２の端部側で開口し、この開口部をカード挿入口４１としてカード５（図８参照）を挿入、抜去できるようになっている。カード受入空洞４に挿入されたカード５は、絶縁ハウジング２の側壁部２２と、メタルシェル３の第２の側板部３３で各側縁がガイドされて、端子装着部２１に近づいたり離れたりできるようになっている。
【００１６】
絶縁ハウジング２の端子装着部２１に装着した前記端子１のコンタクト片１２は、図６に示されているように、カード受入空洞４の上部で片持ち梁状に延びている。カード受入空洞４に接点を設けた面を上向きにして挿入されるカード５との間では、各端子１のコンタクト片１２と、カード５の上面５１に並列して設けた接点５２が１対１の関係で対向し、コンタクト片１２の先端部を屈曲させて下側に形成したコンタクト部１２１が接点５２に係合して電気的に導通できるようにされている。（即ち、リバースタイプのカード用コネクタに構成されている。）
【００１７】
前記カード５の各接点５２は、カード５の上面５１の前端５３側に形成した接点溝５４の底部に収容されて露出しているものであるが、カード５の上面５１の前端５３側には、並列した接点溝５４群の一側に、更に進入溝５５が設けられている。そして、この進入溝５５と対応するようにして、前記メタルシェル３の覆い板部３１に誤挿入防止用突部３５が設けられている。この誤挿入防止用突部３５は、図１、２、７に示したように、覆い板部３１内に突部開口３１１を形成し、その内側をカード受入空洞４側に切り起こして断面Ｕ字形に成形したもので、切り起こしによる破断面３５１（図１（ｂ）においてハッチングした部分）をカード受入空洞４のカード挿入口４１に対向するようにしている。この誤挿入防止用突部３５の破断面３５１は、前記端子１のコンタクト片１２の先端よりもカード挿入口４１側に位置するようにして設けられている（図２参照）。
【００１８】
カード受入空洞４にカード５を挿入すると、カード５の接点５２が端子１のコンタクト片１２に近接していき、最終的にコンタクト部１２１と接点５２が係合する一方、カード５に形成した進入溝５５が覆い板部３１に設けた誤挿入防止用突部３５に近接していき、カード５の挿入に従って誤挿入防止用突部３５が進入溝５５に進入していくようになっている。
【００１９】
カード受入空洞４に挿入したカード５の抜去のために、絶縁ハウジング２の側壁部２２に沿ってイジェクト機構６が設けられている。このイジェクト機構６は、いわゆるプッシュ／プッシュ方式のイジェクト機構であり、図８に表れているように、側壁部２２に沿ってスライド可能に設置されたスライダ６１と、このスライダ６１をカード挿入口４１に向けて付勢するコイルスプリング６２と、スライダ６１に形成したハートカム溝（図には表れていない）と側壁部２２の間に設置されたピン部材６３などによって構成される公知の構造のものである。カード５をカード受入空洞４に挿入すると、スライダ６１のロック爪６１１がカード５のロック用凹部５６と係合して、スライダ６１がカード５と共に挿入方向にスライドし、また、イジェクト機構を構成したコイルスプリング６２で付勢されてスライダ６１がカード挿入口４１の方向にスライドするとカード５をカード挿入口４１の方向にイジェクトできるようにされている。
【００２０】
尚、図２、４、５に鎖線で示されたカード５の後端５７は、カード５の接点５２と端子１のコンタクト片１２が係合状態にあるときの位置であり、また、図２に鎖線で示された後端５７ａは、カード５がスライダ６１を介してイジェクトされたときの位置である。
【００２１】
次に、以上のように構成された実施形態のカード用コネクタにおいて、カード５を誤挿入した場合について説明する。カード５の誤挿入には、カード５の上面５１を下向きにして前端５３から挿入する場合と、カード５の後端５７を前方にして挿入する、いわゆる逆さしの場合とがある。いずれの場合も、メタルシェル３の覆い板部３１に設けた誤挿入防止用突部３５が進入できる溝が存在しないので、カード５の前端５３または後端５７が誤挿入防止用突部３５に衝突することになり、それ以上の挿入を制限することができる。しかも、誤挿入防止用突部３５は、破断面３５１においてＵ字形とされて前端５３または後端５７に当たる面積を比較的大きくしたので、衝突時の荷重の集中を緩和して、前端５３または後端５７へ傷をつけるような不具合を避けることができる。
【００２２】
誤挿入防止用突部３５の破断面３５１は、端子１のコンタクト片１２の先端よりもカード挿入口４１側に位置させたので、誤挿入のカード５の前端５３または後端５７がコンタクト片１２に到達しないようにでき、コンタクト片１２の坐屈のような損傷を受けないようにできる。
【００２３】
図９は、他の実施形態の誤挿入防止用突部３５を示したものである。突部開口３１１の内側を切り起こして、破断面３５１（ハッチングをした部分）をＬ字形としたものである。この場合も、破断面３５１の面積を比較的大きくして荷重の集中を緩和し、カード５へのダメージを避けることができる。
【００２４】
このように、誤挿入防止用突部３５の、破断面３５１の面積を比較的大きくするには、更に、図１２に示すように断面をＪ字形に成形したり、図１３に示すように断面をＶ字形に成形することによっても達成することができる。
【００２５】
カード受入空洞４に挿入されるカード５は、絶縁ハウジング２の側壁部２２と、メタルシェル３の第２の側板部３３で両側縁がガイドされて、これらと平行な状態が維持されるので、誤挿入防止用突部３５は、ここで説明した実施形態のように、メタルシェル３の覆い板部３１に一つ設けて端子１のコンタクト片１２群の一側に配置することで十分目的を達成することができる。コンタクト片１２群の両側に配置するように二つもしくはそれ以上設けるようにすると、それだけカード用コネクタの幅、即ち絶縁ハウジング２の端子装着部２１の延びる方向のサイズが大きくなって不利である。
【００２６】
このカード用コネクタは、プリント回路基板７（図１０）上に設置されて、端子１の半田テイル１３がプリント回路基板７上の回路接点（図示せず）に半田付けされる。このため、絶縁ハウジング２の端子装着部２１の底面には、プリント回路基板７側の位置決め孔に係合する位置決めボス２３が設けられている。また、絶縁ハウジング２の側壁部２２の先端部には、金属ネイル８が圧入されて、金属ネイル８とプリント回路基板７の半田パッドを半田付けできるようにされている。
【００２７】
そして、この金属ネイル８と対応するようにして、メタルシェル３の第２の側板部３３の下縁に、略直角に連続する取付片３６が設けられている。この実施形態では取付片３６は一つであるが、所定の間隔で複数設けるようにしても良い。また、前記金属ネイル８に代えて、第１の側板部３２側にも設けるようにしても良い。
【００２８】
この取付片３６は、絶縁ハウジング２の底面と略面一となるように設けられているものであるが、図１０に示されているように、取付片３６の取り付け面３６１が底面よりやや上側に位置しており、取り付け面３６１に突出するように設けた突部３６２が前記端子１の半田テイル１３に形成された半田付け部１３１と面一となるようにされている。金属板を打ち抜いて成形してメタルシェル３を成形する場合、取付片３６の取り付け面３６１と半田テイル１３の半田付け部１３１の平坦度を確保できるようにすることには非常な困難が伴うので、このように突部３６２を設け、打ち抜き成形の際に突部３６２の高さを微調整することで平坦度を容易に出せるようにしたものである。
【００２９】
また、この取付片３６をプリント回路基板７上で半田付けするために、取付片３６にはメッキ処理が施されるが、取付片３６の周縁を形成している破断面３６３にはメッキが形成されにくい。このため、半田９で、図１０に点線ａで示したように理想的な半田フィレットを形成することは困難で、半田９は実線ｂのように形成され、十分なピール強度を確保することが難しい。取り付け面３６１に形成した突部３６２はこの点においても効果的であり、突部３６２の外周に沿って立体的なＲ形状３６４を有しているために、このＲ形状３６４の部分でアンカー効果により半田９のピール強度を強化することが可能である。
【００３０】
【発明の効果】
以上に説明したように、この発明によれば、誤挿入されるカードの端面と衝突して挿入を制限する誤挿入防止用突部の衝突面積を比較的大きくできるので、衝突部分での荷重の集中を緩和してカード側に与えるダメージを少なくできるカード用コネクタを提供することができる。また、この誤挿入防止用突部は、メタルシェルの覆い板部を切り起こして設けられるので、カード用コネクタの高さの増大を避けて、薄型化されたカード用コネクタを提供することができる。
【図面の簡単な説明】
【図１】（ａ）は、この発明の実施形態のカード用コネクタの正面図であり、（ｂ）は、（ａ）のＡ部を拡大して示した図である。
【図２】この発明の実施形態のカード用コネクタの平面図である。
【図３】同じく実施形態のカード用コネクタの背面図である。
【図４】同じく実施形態のカード用コネクタの左側面図である。
【図５】同じく実施形態のカード用コネクタの右側面図である。
【図６】同じく実施形態のカード用コネクタの端子の装着部分の一部拡大断面図である。
【図７】同じく実施形態のカード用コネクタの底面側から見た一部拡大斜視図である。
【図８】同じく実施形態のカード用コネクタの絶縁ハウジングとカードのみを示した斜視図である。
【図９】この発明の他の実施形態の、Ｌ字状の誤挿入防止用突部の部分の拡大図であり、図１（ｂ）に相当する図である。
【図１０】この発明の実施形態のカード用コネクタの、メタルシェルの側板部に設けた取付片の部分を拡大して示した図である。
【図１１】従来のカード用コネクタに設けられた誤挿入防止用突部の部分の拡大図であり、図１（ｂ）及び図９に相当する図である。
【図１２】この発明の他の実施形態のＪ字状の誤挿入防止用突部の拡大図であり、図１（ｂ）に相当する図である。
【図１３】この発明の他の実施形態のＶ字状の誤挿入防止用突部の拡大図であり、図１（ｂ）に相当する図である。
【符号の説明】
１　　　　　端子
１１　　　　装着部
１２　　　　コンタクト片
１２１　　　コンタクト部
１３　　　　半田テイル
１３１　　　半田付け部
２　　　　　絶縁ハウジング
２１　　　　端子装着部
２１１　　　端子装着孔
２１２　　　係合突部
２２　　　　側壁部
２３　　　　位置決めボス
２２１　　　係合突部
３　　　　　メタルシェル
３１　　　　覆い板部
３１１　　　突部開口
３２　　　　第１の側板部
３２１　　　係合窓
３３　　　　第２の側板部
３４　　　　垂下片
３４１　　　係合窓
３５　　　　誤挿入防止用突部
３５１　　　破断面
３６　　　　取付片
３６１　　　取り付け面
３６２　　　突部
３６３　　　破断面
３６４　　　Ｒ形状
４　　　　　カード受入空洞
４１　　　　カード挿入口
５　　　　　カード
５１　　　　上面
５２　　　　接点
５３　　　　前端
５４　　　　接点溝
５５　　　　進入溝
５６　　　　ロック用凹部
５７　　　　後端
５７ａ　　　後端
６　　　　　イジェクト機構
６１　　　　スライダ
６１１　　　ロック爪
６２　　　　コイルスプリング
６３　　　　ピン部材
７　　　　　プリント回路基板
８　　　　　金属ネイル
９　　　　　半田
【図１】
2004127731.tif 000003
【図２】
2004127731.tif 000004
【図３】
2004127731.tif 000005
【図４】
2004127731.tif 000006
【図５】
2004127731.tif 000007
【図６】
2004127731.tif 000008
【図７】
2004127731.tif 000009
【図８】
2004127731.tif 000010
【図９】
2004127731.tif 000011
【図１０】
2004127731.tif 000012
【図１１】
2004127731.tif 000013
【図１２】
2004127731.tif 000014
【図１３】
2004127731.tif 000015
【手続補正書】
【提出日】平成15年4月16日(2003.4.16)
【手続補正１】
【補正対象書類名】明細書
【補正対象項目名】全文
【補正方法】変更
【補正の内容】
【特許請求の範囲】
【請求項１】複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｕ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項２】複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｌ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項３】複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｊ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項４】複数の端子（１）が並列して装着された絶縁ハウジング（２）と、絶縁ハウジング（２）の少なくとも一部を覆うように設けられたメタルシェル（３）とを備え、
絶縁ハウジング（２）とメタルシェル（３）が共同して形成したカード受入空洞（４）に、前記端子（１）のコンタクト片（１２）を臨ませて、カード受入空洞（４）に挿入されたカード（５）の接点（５２）に係合するようにしたカード用コネクタにおいて、
前記メタルシェル（３）は、カード受入空洞（４）に挿入されたカード（５）の接点（５２）が並列して設けられた面（５１）と対向する覆い板部（３１）を有し、この覆い板部（３１）を切り起こして断面Ｖ字状に成形された誤挿入防止用突部（３５）がカード受入空洞（４）内に突出させてあり、カード受入空洞（４）にカード（５）を挿入した時、カード（５）の接点（５２）が並列して設けられた面（５１）内に形成した進入溝（５５）に進入するようにしてあることを特徴とするカード用コネクタ。
【請求項５】前記誤挿入防止用突部（３５）は、メタルシェル（３）の覆い板部（３１）に一つ形成されている請求項１−４のいずれかに記載のカード用コネクタ。
【請求項６】前記メタルシェル（３）は、覆い板部（３１）の側縁に直角に連続して垂下する側板部（３２、３３）を有し、この側板部（３２、３３）の下縁に、少なくとも一つの取付片（３６）が側板部（３２、３３）と直角に連続させて設けられていると共に、この取付片（３６）に取り付け面（３６１）側に突出する突部（３６２）が形成されている請求項１−５のいずれかに記載のカード用コネクタ。
【発明の詳細な説明】
【０００１】
【発明の属する技術分野】
この発明は、携帯電話機、デジタルスチルカメラ等の電子機器に設置されるカード用コネクタに係り、更に詳しくは、カードの誤挿入を制限できるようにしたカード用コネクタに関する。
【０００２】
【従来の技術】
従来、携帯電話機ではＳＩＭ（Ｓｕｂｓｃｒｉｂｅｒ　Ｉｄｅｎｔｉｔｙ　Ｍｏｄｕｌｅ）カードを受け入れるようにしたカード用コネクタを設けたものが知られている。また、デジタルスチルカメラでは、ＳＤ（Ｓｅｃｕｒｅ　Ｄｉｇｉｔａｌ）カード（松下電器産業（株）、米国サンディスク社、（株）東芝の商標）、ＭＭＣ（Ｍｕｌｔｉ　Ｍｅｄｉａ　Ｃａｒｄ）カード（独国インフィニオンテクノロジーズ社の商標）等を受け入れるようにしたカード用コネクタを設けたものが知られている。カードには、ＣＰＵやメモリＩＣが内蔵されており、電子機器の機能の一部を受け持てるようにしている。
【０００３】
このようなカード用コネクタは、通常、複数の端子が並列して装着された絶縁ハウジングと、絶縁ハウジングの少なくとも一部を覆うように設けられたメタルシェルとを備えている。絶縁ハウジングは、絶縁性のプラスチックを所定の形状に成形して構成される。端子は、りん青銅のような高いばね性を有する薄金属板を打ち抜いて成形される一方、メタルシェルは、ステンレススチールのような導電性の薄金属板を打ち抜いて所定の形状に成形して構成される。
【０００４】
カード用コネクタは、絶縁ハウジングとメタルシェルが共同してカード受入空洞を形成し、絶縁ハウジングに装着された複数の端子の各コンタクト片がこのカード受入空洞に臨むようにされる。カード受入空洞にカードを挿入するとカードの接点と端子のコンタクト片が１対１の関係で対向し、互いに係合して電気的に導通し、カードと電子機器内の回路の接続が図られるようにしている。
【０００５】
カード受入空洞にカードを挿入する形式には、接点を設けた面を下向き（実装面側）にして挿入する「ノーマルタイプ」と、接点を設けた面を上向き（メタルシェル側）にして挿入する「リバースタイプ」とがある。
ノーマルタイプのカード用コネクタでは、カードの誤挿入を防止するために、絶縁ハウジングの底板上に、カード受入空洞内に突出する突条を形成して、カードの表裏を逆にしたり、カードの前後を逆にした誤挿入が制限できるようにしたものが知られている。例えば、特開２００１−１６０４５８号公報にこの誤挿入を制限する機構が詳細に開示されている（特に、図７と明細書の段落番号［００３８］、［００３９］の記載を参照）。
リバースタイプのカード用コネクタでは、例えば、特開２００２−８３６５１号公報に開示された誤挿入を制限する機構が知られている。同公報の、特に、図１６、１８、２２に示され、明細書の段落番号［００３９］で説明されているように、絶縁ハウジングの上部に、誤挿入のカードの端面と当接するストッパ突条を設けた構造である。このような構造は、カード用コネクタの高さが増大する不利があるために、図１１に示したように、メタルシェルａのカードの上面と対向する板面ａａから垂直に突片ｂを切り起こしてカード受入空洞ｃ内に突出させる構造も提案されている。カードを誤挿入すると、カードの端面が突片ｂの破断面ｂｂ（図ではこの破断面にハッチングがしてある）に突き当たって、カードの挿入を制限できるようにしている。
【０００６】
【発明が解決しようとする課題】
しかしながら、上記リバースタイプで、メタルシェルに誤挿入を制限するための突片ｂを切り起こしによって設けたものは、メタルシェルを構成している薄金属板の板厚が比較的薄い（０．２ｍｍ程度）ので、カードをある程度強い力で誤挿入したり、また、それを繰り返した場合に、カードの外ケースはプラスチックの成形品であるために、カードを傷付けるおそれがあった。
【０００７】
この発明は、このような問題点に鑑みてなされたもので、カードを傷付けるおそれのない誤挿入防止構造を備えたリバースタイプのカード用コネクタを提供することを目的としている。
【０００８】
【課題を解決するための手段】
上記の目的のもとになされたこの発明のカード用コネクタは、複数の端子が並列して装着された絶縁ハウジングと、絶縁ハウジングの少なくとも一部を覆うように設けられたメタルシェルとを備え、
絶縁ハウジングとメタルシェルが共同して形成したカード受入空洞に、前記端子のコンタクト片を臨ませて、カード受入空洞に挿入されたカードの接点に係合するようにしたカード用コネクタにおいて、
前記メタルシェルは、カード受入空洞に挿入されたカードの接点が並列して設けられた面と対向する覆い板部を有し、この覆い板部を切り起こして断面Ｕ字状に成形された誤挿入防止用突部がカード受入空洞内に突出させてあり、カード受入空洞にカードを挿入した時、カードの接点が並列して設けられた面内に形成した進入溝に進入するようにしてあることを特徴とするカード用コネクタである。
【０００９】
断面をＵ字状に成形された前記誤挿入防止用突部は、断面をＬ字状、またはＪ字状、更にはＶ字状としても良い。
【００１０】
【作用】
このように構成されるこの発明のカード用コネクタによれば、誤挿入されたカードの端面と当接する誤挿入防止用突部の切り起こしによる破断面の面積を、Ｕ字状、Ｌ字状、Ｊ字状またはＶ字状の形状によって増すことができ、荷重の集中を緩和することができる。このような荷重集中の緩和によって、カード側に与えるダメージを少なくすることができる。
【００１１】
【発明の実施の形態】
以下、この発明の実施形態について、添付の図を参照して説明する。
【００１２】
実施形態のカード用コネクタも、複数の端子１が並列して装着された絶縁ハウジング２と、絶縁ハウジング２を覆うように設けられたメタルシェル３とを備えている。絶縁ハウジング２は、図８に表れているように、端子装着部２１と側壁部２２を略直角に連続させて平面Ｌ字形に成形されている。複数の端子１は、図６、８に表れているように、装着部１１の一端からコンタクト片１２が片持ち梁状に連続して延びているとともに、装着部１１の他端からＬ字形の半田テイル１３が連続して延びた形状に成形されて、装着部１１を端子装着部２１に形成された端子装着孔２１１に挿通、係止させて、各コンタクト片１２が前記側壁部２２の延びる方向に臨み、半田テイル１３の半田付け部１３１が絶縁ハウジング２の底面と略面一となるようにしてある。
【００１３】
メタルシェル３は、前記絶縁ハウジング２の上部を覆うようにした略方形の覆い板部３１の一側に、絶縁ハウジング２の側壁部２２の外面に沿って垂下するようにした第１の側板部３２が連続していると共に、覆い板部３１の他側には、第１の側板部３２と対向して垂下する第２の側板部３３が連続して、扁平な逆Ｕ字形に成形されている。
【００１４】
第１の側板部３２には、図５に表れているように、係合窓３２１がいくつか形成されており、絶縁ハウジング２の側壁部２２の外面に突出させて設けた係合突部２２１が係合して、絶縁ハウジング２とメタルシェル３の一体化が図られるようにしてある。メタルシェル３の覆い板部３１の後縁にも小さい垂下片３４が設けられ、この垂下片３４に形成した係合窓３４１にも、絶縁ハウジング２の端子装着部２１の外面に設けた係合突部２１２が係合するようにしてある。
【００１５】
このような絶縁ハウジング２とメタルシェル３によって、絶縁ハウジング２の端子装着部２１の前方で、側壁部２２の側方に、カード受入空洞４が形成されている。カード受入空洞４は、上側がメタルシェル３の覆い板部３１で仕切られ、一側が絶縁ハウジング２の側壁部２２で仕切られ、そして、他側がメタルシェル３の第２の側板部３３で仕切られている。また、カード受入空洞４は、絶縁ハウジング２の側壁部２２の端部側で開口し、この開口部をカード挿入口４１としてカード５（図８参照）を挿入、抜去できるようになっている。カード受入空洞４に挿入されたカード５は、絶縁ハウジング２の側壁部２２と、メタルシェル３の第２の側板部３３で各側縁がガイドされて、端子装着部２１に近づいたり離れたりできるようになっている。
【００１６】
絶縁ハウジング２の端子装着部２１に装着した前記端子１のコンタクト片１２は、図６に示されているように、カード受入空洞４の上部で片持ち梁状に延びている。カード受入空洞４に接点を設けた面を上向きにして挿入されるカード５との間では、各端子１のコンタクト片１２と、カード５の上面５１に並列して設けた接点５２が１対１の関係で対向し、コンタクト片１２の先端部を屈曲させて下側に形成したコンタクト部１２１が接点５２に係合して電気的に導通できるようにされている。（即ち、リバースタイプのカード用コネクタに構成されている。）
【００１７】
前記カード５の各接点５２は、カード５の上面５１の前端５３側に形成した接点溝５４の底部に収容されて露出しているものであるが、カード５の上面５１の前端５３側には、並列した接点溝５４群の一側に、更に進入溝５５が設けられている。そして、この進入溝５５と対応するようにして、前記メタルシェル３の覆い板部３１に誤挿入防止用突部３５が設けられている。この誤挿入防止用突部３５は、図１、２、７に示したように、覆い板部３１内に突部開口３１１を形成し、その内側をカード受入空洞４側に切り起こして断面Ｕ字形に成形したもので、切り起こしによる破断面３５１（図１（ｂ）においてハッチングした部分）をカード受入空洞４のカード挿入口４１に対向するようにしている。この誤挿入防止用突部３５の破断面３５１は、前記端子１のコンタクト片１２の先端よりもカード挿入口４１側に位置するようにして設けられている（図２参照）。
【００１８】
カード受入空洞４にカード５を挿入すると、カード５の接点５２が端子１のコンタクト片１２に近接していき、最終的にコンタクト部１２１と接点５２が係合する一方、カード５に形成した進入溝５５が覆い板部３１に設けた誤挿入防止用突部３５に近接していき、カード５の挿入に従って誤挿入防止用突部３５が進入溝５５に進入していくようになっている。
【００１９】
カード受入空洞４に挿入したカード５の抜去のために、絶縁ハウジング２の側壁部２２に沿ってイジェクト機構６が設けられている。このイジェクト機構６は、いわゆるプッシュ／プッシュ方式のイジェクト機構であり、図８に表れているように、側壁部２２に沿ってスライド可能に設置されたスライダ６１と、このスライダ６１をカード挿入口４１に向けて付勢するコイルスプリング６２と、スライダ６１に形成したハートカム溝（図には表れていない）と側壁部２２の間に設置されたピン部材６３などによって構成される公知の構造のものである。カード５をカード受入空洞４に挿入すると、スライダ６１のロック爪６１１がカード５のロック用凹部５６と係合して、スライダ６１がカード５と共に挿入方向にスライドし、また、イジェクト機構を構成したコイルスプリング６２で付勢されてスライダ６１がカード挿入口４１の方向にスライドするとカード５をカード挿入口４１の方向にイジェクトできるようにされている。
【００２０】
尚、図２、４、５に鎖線で示されたカード５の後端５７は、カード５の接点５２と端子１のコンタクト片１２が係合状態にあるときの位置であり、また、図２に鎖線で示された後端５７ａは、カード５がスライダ６１を介してイジェクトされたときの位置である。
【００２１】
次に、以上のように構成された実施形態のカード用コネクタにおいて、カード５を誤挿入した場合について説明する。カード５の誤挿入には、カード５の上面５１を下向きにして前端５３から挿入する場合と、カード５の後端５７を前方にして挿入する、いわゆる逆さしの場合とがある。いずれの場合も、メタルシェル３の覆い板部３１に設けた誤挿入防止用突部３５が進入できる溝が存在しないので、カード５の前端５３または後端５７が誤挿入防止用突部３５に衝突することになり、それ以上の挿入を制限することができる。しかも、誤挿入防止用突部３５は、破断面３５１においてＵ字形とされて前端５３または後端５７に当たる面積を比較的大きくしたので、衝突時の荷重の集中を緩和して、前端５３または後端５７へ傷をつけるような不具合を避けることができる。
【００２２】
誤挿入防止用突部３５の破断面３５１は、端子１のコンタクト片１２の先端よりもカード挿入口４１側に位置させたので、誤挿入のカード５の前端５３または後端５７がコンタクト片１２に到達しないようにでき、コンタクト片１２の坐屈のような損傷を受けないようにできる。
【００２３】
図９は、他の実施形態の誤挿入防止用突部３５を示したものである。突部開口３１１の内側を切り起こして、破断面３５１（ハッチングをした部分）をＬ字形としたものである。この場合も、破断面３５１の面積を比較的大きくして荷重の集中を緩和し、カード５へのダメージを避けることができる。
【００２４】
このように、誤挿入防止用突部３５の、破断面３５１の面積を比較的大きくするには、更に、図１２に示すように断面をＪ字形に成形したり、図１３に示すように断面をＶ字形に成形することによっても達成することができる。
【００２５】
カード受入空洞４に挿入されるカード５は、絶縁ハウジング２の側壁部２２と、メタルシェル３の第２の側板部３３で両側縁がガイドされて、これらと平行な状態が維持されるので、誤挿入防止用突部３５は、ここで説明した実施形態のように、メタルシェル３の覆い板部３１に一つ設けて端子１のコンタクト片１２群の一側に配置することで十分目的を達成することができる。コンタクト片１２群の両側に配置するように二つもしくはそれ以上設けるようにすると、それだけカード用コネクタの幅、即ち絶縁ハウジング２の端子装着部２１の延びる方向のサイズが大きくなって不利である。
【００２６】
このカード用コネクタは、プリント回路基板７（図１０）上に設置されて、端子１の半田テイル１３がプリント回路基板７上の回路接点（図示せず）に半田付けされる。このため、絶縁ハウジング２の端子装着部２１の底面には、プリント回路基板７側の位置決め孔に係合する位置決めボス２３が設けられている。また、絶縁ハウジング２の側壁部２２の先端部には、図５、８に表れているように、金属ネイル８が圧入されて、金属ネイル８とプリント回路基板７の半田パッドを半田付けできるようにされている。
【００２７】
そして、この金属ネイル８と対応するようにして、メタルシェル３の第２の側板部３３の下縁に、略直角に連続する取付片３６が設けられている（図２、４参照）。この実施形態では取付片３６は一つであるが、所定の間隔で複数設けるようにしても良い。また、前記金属ネイル８に代えて、第１の側板部３２側にも設けるようにしても良い。
【００２８】
この取付片３６は、絶縁ハウジング２の底面と略面一となるように設けられているものであるが、図１０に示されているように、取付片３６の取り付け面３６１が底面よりやや上側に位置しており、取り付け面３６１に突出するように設けた突部３６２が前記端子１の半田テイル１３に形成された半田付け部１３１と面一となるようにされている。金属板を打ち抜いて成形してメタルシェル３を成形する場合、取付片３６の取り付け面３６１と半田テイル１３の半田付け部１３１の平坦度を確保できるようにすることには非常な困難が伴うので、このように突部３６２を設け、打ち抜き成形の際に突部３６２の高さを微調整することで平坦度を容易に出せるようにしたものである。
【００２９】
また、この取付片３６をプリント回路基板７上で半田付けするために、取付片３６にはメッキ処理が施されるが、取付片３６の周縁を形成している破断面３６３にはメッキが形成されにくい。このため、半田９で、図１０に点線ａで示したように理想的な半田フィレットを形成することは困難で、半田９は実線ｂのように形成され、十分なピール強度を確保することが難しい。取り付け面３６１に形成した突部３６２はこの点においても効果的であり、突部３６２の外周に沿って立体的なＲ形状３６４を有して半田が付着するために、このＲ形状３６４の部分でアンカー効果により接触面積が増え半田９のピール強度を強化することが可能である。
【００３０】
【発明の効果】
以上に説明したように、この発明によれば、誤挿入されるカードの端面と衝突して挿入を制限する誤挿入防止用突部の衝突面積を比較的大きくできるので、衝突部分での荷重の集中を緩和してカード側に与えるダメージを少なくできるカード用コネクタを提供することができる。また、この誤挿入防止用突部は、メタルシェルの覆い板部を切り起こして設けられるので、カード用コネクタの高さの増大を避けて、薄型化されたカード用コネクタを提供することができる。
【図面の簡単な説明】
【図１】（ａ）は、この発明の実施形態のカード用コネクタの正面図であり、（ｂ）は、（ａ）のＡ部を拡大して示した図である。
【図２】この発明の実施形態のカード用コネクタの平面図である。
【図３】同じく実施形態のカード用コネクタの背面図である。
【図４】同じく実施形態のカード用コネクタの左側面図である。
【図５】同じく実施形態のカード用コネクタの右側面図である。
【図６】同じく実施形態のカード用コネクタの端子の装着部分の一部拡大断面図である。
【図７】同じく実施形態のカード用コネクタの底面側から見た一部拡大斜視図である。
【図８】同じく実施形態のカード用コネクタの絶縁ハウジングとカードのみを示した斜視図である。
【図９】この発明の他の実施形態の、Ｌ字状の誤挿入防止用突部の部分の拡大図であり、図１（ｂ）に相当する図である。
【図１０】この発明の実施形態のカード用コネクタの、メタルシェルの側板部に設けた取付片の部分（図４に示すＢ部）を拡大して示した図である。
【図１１】従来のカード用コネクタに設けられた誤挿入防止用突部の部分の拡大図であり、図１（ｂ）及び図９に相当する図である。
【図１２】この発明の他の実施形態のＪ字状の誤挿入防止用突部の拡大図であり、図１（ｂ）に相当する図である。
【図１３】この発明の他の実施形態のＶ字状の誤挿入防止用突部の拡大図であり、図１（ｂ）に相当する図である。
【符号の説明】
１　　　　　端子
１１　　　　装着部
１２　　　　コンタクト片
１２１　　　コンタクト部
１３　　　　半田テイル
１３１　　　半田付け部
２　　　　　絶縁ハウジング
２１　　　　端子装着部
２１１　　　端子装着孔
２１２　　　係合突部
２２　　　　側壁部
２３　　　　位置決めボス
２２１　　　係合突部
３　　　　　メタルシェル
３１　　　　覆い板部
３１１　　　突部開口
３２　　　　第１の側板部
３２１　　　係合窓
３３　　　　第２の側板部
３４　　　　垂下片
３４１　　　係合窓
３５　　　　誤挿入防止用突部
３５１　　　破断面
３６　　　　取付片
３６１　　　取り付け面
３６２　　　突部
３６３　　　破断面
３６４　　　Ｒ形状
４　　　　　カード受入空洞
４１　　　　カード挿入口
５　　　　　カード
５１　　　　上面
５２　　　　接点
５３　　　　前端
５４　　　　接点溝
５５　　　　進入溝
５６　　　　ロック用凹部
５７　　　　後端
５７ａ　　　後端
６　　　　　イジェクト機構
６１　　　　スライダ
６１１　　　ロック爪
６２　　　　コイルスプリング
６３　　　　ピン部材
７　　　　　プリント回路基板
８　　　　　金属ネイル
９　　　　　半田


【手続補正２】
【補正対象書類名】図面
【補正対象項目名】図４
【補正方法】変更
【補正の内容】
【図４】
2004127731.tif 000016